(57)【要約】【課題】撮影の後、画像データ中の顔に対する補正処理を終えるまでの間、ユーザを退屈させることなく補正処理後のイメージを提示すること。【解決手段】器官検出部２０は、撮影画像中の顔を検出する。補正付き本画像処理部１８１１は、器官検出部２０による顔検出結果をもとに撮影画像中の顔領域に対して所定の補正処理を行う。演出用画像処理部１８３３は、撮影画像を縮小処理して処理前小画像を生成するとともに、器官検出部２０による顔検出結果をもとに処理前小画像中の顔領域に対して補正処理を行い、処理小画像を生成する。演出処理部２１１は、補正付き本画像処理部１８１１が行う補正付き本画像処理と並行して、処理小画像を用いた演出処理を行う。【選択図】図２
2010141399.tif 000002
【特許請求の範囲】
【請求項１】
被写体像を光電変換して画像データを生成する撮像部と、
前記撮像部によって生成された画像データを縮小処理した小画像データを生成する小画像生成部と、
前記画像データ中および／または前記小画像生成部によって生成された小画像データ中の顔を検出する顔検出部と、
前記顔検出部による顔検出結果をもとに、前記画像データ中の顔の領域に対して所定の補正処理を行った補正付き画像データを生成する補正付き本画像処理部と、
前記顔検出部による顔検出結果をもとに、前記小画像データ中の顔の領域に対して前記補正処理を行った処理小画像データを生成する小画像処理部と、
前記補正付き本画像処理部による処理と並行して、前記処理小画像データを用いた演出処理を行う演出処理部と、
を備えることを特徴とする撮像装置。
【請求項２】
前記小画像処理部は、前記小画像データ中の顔の領域に対し、前記補正処理を段階的に行って複数の段階処理小画像データを生成し、
前記演出処理部は、前記演出処理として、前記複数の段階処理小画像データを動画表示する処理を行うことを特徴とする請求項１に記載の撮像装置。
【請求項３】
前記補正付き本画像処理部は、前記画像データ中の顔の領域に対して複数種類の補正処理を行い、
前記小画像処理部は、前記小画像データ中の顔の領域に対して前記複数種類の補正処理を順次行い、前記複数の段階処理小画像データを生成することを特徴とする請求項２に記載の撮像装置。
【請求項４】
前記演出処理部は、前記演出処理として、前記複数の段階処理小画像データのうちの少なくともいずれかの段階処理小画像データ間に所定の背景画像データを挿入して動画表示する処理を行うことを特徴とする請求項２に記載の撮像装置。
【請求項５】
前記小画像処理部は、前記処理小画像データの大きさを変更する処理、前記処理小画像データの一部分を切り出す処理、前記処理小画像データを異なる回転量で回転させる処理および前記処理小画像データの外形形状を変更する処理の少なくともいずれかの処理を行って前記処理小画像データの形態を変更し、
前記演出処理部は、前記演出処理として、前記形態が変更された前記処理小画像データを表示する処理を行うことを特徴とする請求項１に記載の撮像装置。
【請求項６】
前記小画像処理部は、前記処理小画像データ中の顔の領域の近傍位置に所定のテンプレートを合成し、
前記演出処理部は、前記演出処理として、前記所定のテンプレートが合成された前記小画像データを表示する処理を行うことを特徴とする請求項１に記載の撮像装置。
【請求項７】
前記補正付き画像データと前記処理小画像データとを対応付けて記録する記録部を備えることを特徴とする請求項１に記載の撮像装置。
【請求項８】
前記顔検出部は、前記小画像データ中の顔を検出し、
前記補正付き本画像処理部は、前記顔検出部が前記小画像データについて行った顔検出結果をもとに前記画像データ中の対応する位置を顔の領域として特定し、特定した顔の領域に対して前記補正処理を行うことを特徴とする請求項１に記載の撮像装置。
【請求項９】
被写体像を光電変換して画像データを生成する撮像部を備えた撮像装置における画像処理方法であって、
前記撮像部によって生成された画像データを縮小処理した小画像データを生成する小画像生成工程と、
前記画像データ中および／または前記小画像生成工程で生成された小画像データ中の顔を検出する顔検出工程と、
前記顔検出工程での顔検出結果をもとに、前記画像データ中の顔の領域に対して所定の補正処理を行った補正付き画像データを生成する補正付き本画像処理工程と、
前記顔検出工程での顔検出結果をもとに、前記小画像データ中の顔の領域に対して前記補正処理を行った処理小画像データを生成する小画像処理工程と、
前記補正付き本画像処理工程の処理と並行して、前記処理小画像データを用いた演出処理を行う演出処理工程と、
を含むことを特徴とする撮像装置における画像処理方法。
【請求項１０】
被写体像を光電変換して画像データを生成する撮像部を備えた撮像装置のコンピュータに、
前記撮像部によって生成された画像データを縮小処理した小画像データを生成する小画像生成ステップと、
前記画像データ中および／または前記小画像生成ステップで生成された小画像データ中の顔を検出する顔検出ステップと、
前記顔検出ステップでの顔検出結果をもとに、前記画像データ中の顔の領域に対して所定の補正処理を行った補正付き画像データを生成する補正付き本画像処理ステップと、
前記顔検出ステップでの顔検出結果をもとに、前記小画像データ中の顔の領域に対して前記補正処理を行った処理小画像データを生成する小画像処理ステップと、
前記補正付き本画像処理ステップの処理と並行して、前記処理小画像データを用いた演出処理を行う演出処理ステップと、
を実行させることを特徴とする画像処理プログラム。
【発明の詳細な説明】
【技術分野】
【０００１】
本発明は、撮像装置、この撮像装置における画像処理方法および画像処理プログラムに関するものである。
【背景技術】
【０００２】
従来から、画像中に映る人物等の顔を検出する顔検出技術が知られている。例えばデジタルカメラ等の撮像装置では、この顔検出技術を用いて被写体の顔を検出し、顔検出の結果を露出やフォーカス等の制御に利用している。
【０００３】
一方で、顔検出技術を用い、顔検出の結果をもとに被写体の顔に各種の補正処理を施す画像処理技術が種々提案されている。例えば特許文献１には、目の画像を予め登録しておき、この目の画像を用いて撮影画像中の目の領域を補正（修正）する画像処理方法が開示されている。
【０００４】
【特許文献１】特開２００７−１５７１７６号公報
【発明の開示】
【発明が解決しようとする課題】
【０００５】
ところで、上記のような画像処理技術を撮像装置に適用し、人物を被写体として撮影を行った際に画像中の顔に対して補正処理を行えば、人物の表情を明るくみせたり、美しく見せるといったことが可能となる。しかしながら、これらの補正処理にはある程度の時間がかかるため、ユーザは、撮影の後、補正処理を終えるまでの間待機しなければならず、退屈であった。また、補正処理後のイメージ（仕上がり）を事前に確認することができなかった。
【０００６】
本発明は、上記に鑑みてなされたものであって、撮影の後、画像データ中の顔に対する補正処理を終えるまでの間、ユーザを退屈させることなく補正処理後のイメージを提示することができる撮像装置、撮像装置における画像処理方法および画像処理プログラムを提供することを目的とする。
【課題を解決するための手段】
【０００７】
上述した課題を解決し、目的を達成するため、本発明にかかる撮像装置は、被写体像を光電変換して画像データを生成する撮像部と、前記撮像部によって生成された画像データを縮小処理した小画像データを生成する小画像生成部と、前記画像データ中および／または前記小画像生成部によって生成された小画像データ中の顔を検出する顔検出部と、前記顔検出部による顔検出結果をもとに、前記画像データ中の顔の領域に対して所定の補正処理を行った補正付き画像データを生成する補正付き本画像処理部と、前記顔検出部による顔検出結果をもとに、前記小画像データ中の顔の領域に対して前記補正処理を行った処理小画像データを生成する小画像処理部と、前記補正付き本画像処理部による処理と並行して、前記処理小画像データを用いた演出処理を行う演出処理部と、を備えることを特徴とする。
【０００８】
また、本発明にかかる撮像装置は、上記の発明において、前記小画像処理部は、前記小画像データ中の顔の領域に対し、前記補正処理を段階的に行って複数の段階処理小画像データを生成し、前記演出処理部は、前記演出処理として、前記複数の段階処理小画像データを動画表示する処理を行うことを特徴とする。
【０００９】
また、本発明にかかる撮像装置は、上記の発明において、前記補正付き本画像処理部は、前記画像データ中の顔の領域に対して複数種類の補正処理を行い、前記小画像処理部は、前記小画像データ中の顔の領域に対して前記複数種類の補正処理を順次行い、前記複数の段階処理小画像データを生成することを特徴とする。
【００１０】
また、本発明にかかる撮像装置は、上記の発明において、前記演出処理部は、前記演出処理として、前記複数の段階処理小画像データのうちの少なくともいずれかの段階処理小画像データ間に所定の背景画像データを挿入して動画表示する処理を行うことを特徴とする。
【００１１】
また、本発明にかかる撮像装置は、上記の発明において、前記小画像処理部は、前記処理小画像データの大きさを変更する処理、前記処理小画像データの一部分を切り出す処理、前記処理小画像データを異なる回転量で回転させる処理および前記処理小画像データの外形形状を変更する処理の少なくともいずれかの処理を行って前記処理小画像データの形態を変更し、前記演出処理部は、前記演出処理として、前記形態が変更された前記処理小画像データを表示する処理を行うことを特徴とする。
【００１２】
また、本発明にかかる撮像装置は、上記の発明において、前記小画像処理部は、前記処理小画像データ中の顔の領域の近傍位置に所定のテンプレートを合成し、前記演出処理部は、前記演出処理として、前記所定のテンプレートが合成された前記小画像データを表示する処理を行うことを特徴とする。
【００１３】
また、本発明にかかる撮像装置は、上記の発明において、前記補正付き画像データと前記処理小画像データとを対応付けて記録する記録部を備えることを特徴とする。
【００１４】
また、本発明にかかる撮像装置は、上記の発明において、前記顔検出部は、前記小画像データ中の顔を検出し、前記補正付き本画像処理部は、前記顔検出部が前記小画像データについて行った顔検出結果をもとに前記画像データ中の対応する位置を顔の領域として特定し、特定した顔の領域に対して前記補正処理を行うことを特徴とする。
【００１５】
また、本発明にかかる撮像装置における画像処理方法は、被写体像を光電変換して画像データを生成する撮像部を備えた撮像装置における画像処理方法であって、前記撮像部によって生成された画像データを縮小処理した小画像データを生成する小画像生成工程と、前記画像データ中および／または前記小画像生成工程で生成された小画像データ中の顔を検出する顔検出工程と、前記顔検出工程での顔検出結果をもとに、前記画像データ中の顔の領域に対して所定の補正処理を行った補正付き画像データを生成する補正付き本画像処理工程と、前記顔検出工程での顔検出結果をもとに、前記小画像データ中の顔の領域に対して前記補正処理を行った処理小画像データを生成する小画像処理工程と、前記補正付き本画像処理工程の処理と並行して、前記処理小画像データを用いた演出処理を行う演出処理工程と、を含むことを特徴とする。
【００１６】
また、本発明にかかる画像処理プログラムは、被写体像を光電変換して画像データを生成する撮像部を備えた撮像装置のコンピュータに、前記撮像部によって生成された画像データを縮小処理した小画像データを生成する小画像生成ステップと、前記画像データ中および／または前記小画像生成ステップで生成された小画像データ中の顔を検出する顔検出ステップと、前記顔検出ステップでの顔検出結果をもとに、前記画像データ中の顔の領域に対して所定の補正処理を行った補正付き画像データを生成する補正付き本画像処理ステップと、前記顔検出ステップでの顔検出結果をもとに、前記小画像データ中の顔の領域に対して前記補正処理を行った処理小画像データを生成する小画像処理ステップと、前記補正付き本画像処理ステップの処理と並行して、前記処理小画像データを用いた演出処理を行う演出処理ステップと、を実行させることを特徴とする。
【発明の効果】
【００１７】
本発明によれば、撮像部によって生成された画像データを縮小処理して小画像データを生成するとともに、この小画像データ中の顔の領域に対して補正処理を行って処理小画像データを生成することができる。そして、撮像部によって生成された画像データに対して補正処理を行って補正付き画像データを生成する処理と並行して、処理小画像データを用いた演出処理を行うことができる。したがって、撮影の後、撮影した画像中の顔に対する補正処理を終えるまでの間、ユーザを退屈させることなく補正処理後のイメージを提示することができる。
【発明を実施するための最良の形態】
【００１８】
以下、図面を参照し、本発明の好適な実施の形態について詳細に説明する。本実施の形態では、本発明の撮像装置をデジタルカメラに適用した場合を例にとって説明する。なお、この実施の形態によって本発明が限定されるものではない。また、各図面の記載において、同一部分には同一の符号を付して示している。
【００１９】
（実施の形態）
図１は、デジタルカメラ１の背面図である。図１に示すように、デジタルカメラ１は、カメラ本体２の上面に配設された撮影タイミングを指示するためのレリーズスイッチ（シャッタースイッチ）３、カメラ本体２の背面に配設されたパワースイッチ４やメニュースイッチ５、上下左右の各方向スイッチ（上スイッチ、下スイッチ、左スイッチおよび右スイッチ）を有する十字キー６、操作内容を確定する等のためのＯＫスイッチ７、撮影モードと再生モードとを切り換えるための再生スイッチ８、各種画面を表示する表示部２３等を備えている。パワースイッチ４は、デジタルカメラ１の電源投入／電源遮断を切り換えて入力するためのものであり、例えばスライドスイッチを用いて実現される。レリーズスイッチ３は、例えば二段階式の押下ボタンであり、半押しされるとファーストレリーズスイッチがＯＮし、全押しされるとセカンドレリーズスイッチがＯＮするようになっている。また、図示しないが、カメラ本体２の前面には、フラッシュや撮像レンズ等が配設されている。
【００２０】
このデジタルカメラ１においてパワースイッチ４をスライドさせて電源投入を指示すると、デジタルカメラ１は撮影可能な状態（撮影モード）となる。撮影モードでは、撮像レンズを通して入射する被写体像が１フレーム（例えば１／３０秒）毎に出力され、ライブビュー画像として表示部２３にリアルタイムに表示されるようになっており、ユーザは、ライブビュー画像を見ながらレリーズスイッチ３を押下して静止画や動画の撮影を行う。一方、電源投入時、再生スイッチ８の押下操作に応じて撮影モードと再生モードとが切り換わるようになっている。この再生モードでは、ユーザは、デジタルカメラ１で撮影された静止画や動画を表示部２３に表示（再生）して楽しむ。
【００２１】
図２は、このデジタルカメラ１のシステム構成を示すブロック図である。図２に示すように、デジタルカメラ１は、撮像素子１１と、レンズ系ユニット１２と、レンズ駆動回路１３と、撮像回路１４と、ＳＤＲＡＭ（Synchronous Dynamic Random Access Memory）１５と、ＡＥ部１６と、ＡＦ部１７と、画像処理部１８と、顔検出部としての器官検出部２０と、ＣＰＵ２１と、内蔵メモリ２２と、表示部２３と、表示駆動回路２４と、通信Ｉ／Ｆ２５と、操作部２６と、着脱メモリ２７と、電源回路２８と、電池２９とを備える。そして、撮像回路１４、ＳＤＲＡＭ１５、ＡＥ部１６、ＡＦ部１７、画像処理部１８、器官検出部２０、ＣＰＵ２１、表示駆動回路２４および着脱メモリ２７がバス３０を介して接続されて構成されている。また、撮像素子１１やレンズ系ユニット１２、レンズ駆動回路１３、撮像回路１４は、被写体像を光電変換して撮影画像の画像データを生成する撮像部１０を構成する。
【００２２】
撮像素子１１は、例えばＣＣＤ（Charge Coupled Device）やＣＭＯＳ（Complementary Metal Oxide Semiconductor）等のイメージセンサであって、レンズ系ユニット１２を通して入射する被写体像をフレーム単位で光電変換し、アナログ電気信号を出力する。レンズ系ユニット１２は、ＡＦ（Auto-Focus）用レンズやズーム用レンズ等を含む撮像レンズ、絞り、シャッター等を含み、レンズ駆動回路１３は、レンズ系ユニット１２を駆動する。
【００２３】
撮像回路１４は、撮像素子１１から出力されたアナログ電気信号に対してＣＤＳ（Correlated Double Sampling）やＡＧＣ（Automatic Gain Control）等のアナログ信号処理を行った後、デジタル電気信号に変換するとともに、このデジタル電気信号に対して画素補間処理や色補正処理等のデジタル信号処理を行い、画像データとして出力する。この画像データは、ＳＤＲＡＭ１５に一時的に記録される。
【００２４】
ＳＤＲＡＭ１５は、撮像回路１４から出力される画像データや、画像処理部１８による処理中の画像データ等の一時記録用に使用される。例えば、１フレーム毎に撮像回路１４から出力される画像（ライブビュー画像）の画像データや、撮影タイミングで撮像回路１４から出力される画像の画像データ（以下、適宜「撮影画像」という。）等が一時的に記録される。デジタルカメラ１のモードの一つである撮影モード等では、撮像素子１１に結像されている被写体像が動画的にリアルタイムに表示部２３に表示されるようになっており、ライブビュー画像とは、この画像のことをいう。
【００２５】
ＡＥ部１６は、撮像回路１４から出力された画像データをもとに、自動露出を行う。ＡＦ部１７は、撮像回路１４から出力された画像データをもとに、自動焦点調節を行う。
【００２６】
画像処理部１８は、撮像回路１４から出力された画像データに対して各種の画像処理を施すとともに、記録用や表示用等に適した画像データに変換する処理を行う。例えば、撮影画像の画像データを記録する際、あるいは記録されている画像データを表示する際等に、ＪＰＥＧ（Joint Photographic Experts Group）方式等に基づく画像データの圧縮処理や伸張処理を行う。また、画素数を増減させて画像データを拡縮させるリサイズ処理、画像データから一部分を切り出すトリミング処理、各画素の輝度成分や色成分を調整する明るさ調整処理や色調整処理、透明処理等、画像データに対する各種の画像処理を必要に応じて行う。例えば、画像処理部１８は、小画像生成部として、生成した撮影画像を縮小して小画像（サムネイル）の画像データ（小画像データ）を生成する。
【００２７】
この画像処理部１８は、補正付き本画像処理部１８１と、小画像処理部としての演出用画像処理部１８３とを含む。補正付き本画像処理部１８１は、撮影モードに関する設定として撮影画像中の顔を補正する補正モードが選択されている場合であって、器官検出部２０によって撮影画像中の顔が検出された場合に、撮影画像に対し、顔領域を加工する補正処理を含む画像処理（補正付き本画像処理）を行う。演出用画像処理部１８３は、補正付き本画像処理部１８１が補正付き本画像処理を終えるまでの間に表示部２３に表示させる演出用小画像を生成する。
【００２８】
器官検出部２０は、例えば、小画像の画像データをもとに、周知技術であるパターンマッチングを適用してこの画像データ中の顔の領域（顔領域）を検出し、この顔領域の検出結果をもとに左右の目や鼻、唇等の各顔パーツを検出する。検出された人物画像中の顔領域の位置座標、各パーツの位置座標等のデータは、ＳＤＲＡＭ１５に記録される。
【００２９】
ＣＰＵ２１は、操作部２６からの操作信号等に応じて内蔵メモリ２２からカメラプログラムを読み出して実行し、デジタルカメラ１を構成する各部に対する指示やデータの転送等を行ってデジタルカメラ１の動作を統括的に制御する。このＣＰＵ２１は、演出処理部２１１を備える。演出処理部２１１は、撮影の後、補正付き本画像処理部１８１が補正付き本画像処理を終了するまでの間、この補正付き本画像処理と並行して、演出用画像処理部１８３によって生成された複数の演出用小画像を表示部２３に表示する演出処理を行う。
【００３０】
内蔵メモリ２２は、例えばフラッシュメモリ等の電気的に書き換えが可能な不揮発性メモリであり、この内蔵メモリ２２には、デジタルカメラ１を動作させ、このデジタルカメラ１が備える種々の機能を実現するための各種のカメラプログラムや、このカメラプログラムの実行中に使用されるデータ等が予め記録されている。なお、これらカメラプログラムやカメラプログラムの実行中に使用されるデータを記録する記録媒体はフラッシュメモリに限定されるものではなく、ＣＤ−ＲＯＭやＤＶＤ−ＲＯＭ等の光学記録媒体、ＭＤ等の磁気記録媒体、テープ媒体、ＩＣカードなどの半導体メモリを用いることができる。
【００３１】
表示部２３は、撮影画像やライブビュー画像の他、デジタルカメラ１の各種設定情報等を表示するためのものであり、ＬＣＤ（Liquid Crystal Display）やＥＬディスプレイ（Electroluminescence Display）等の表示装置で実現される。表示駆動回路２４は、表示部２３を駆動する。この表示部２３には、撮影モード中は所定の表示フレームレートでライブビュー画像が再描画されて動画的に連続表示され、再生モード中は撮影画像が表示される。
【００３２】
操作部２６は、撮影タイミングの指示、補正モードを含む各種の撮影モードや再生モードといったモードの設定操作、撮影条件の設定操作等、ユーザによる各種操作を受け付けて操作信号をＣＰＵ２１に通知するためのものであり、各種機能が割り当てられたボタンスイッチやスライドスイッチ、ダイヤル等で実現される。この操作部２６は、図１のレリーズスイッチ３、パワースイッチ４、メニュースイッチ５、十字キー６、ＯＫスイッチ７および再生スイッチ８を含む。
【００３３】
通信Ｉ／Ｆ２５は、例えばＵＳＢ（Universal Serial Bus）等の通信規格によってデジタルカメラ１を例えばパソコン等の外部機器と接続するためのインターフェースである。
【００３４】
着脱メモリ２７は、例えばｘＤ−ピクチャーカード（登録商標）やコンパクトフラッシュ（登録商標）カード等のデジタルカメラ１に着脱自在なメモリカードである。この着脱メモリ２７には、その種類に応じた図示しない読み書き装置によって撮影画像の画像データが書き込まれ、または読み書き装置によって着脱メモリ２７に記録された画像データが読み出される。
【００３５】
電源回路２８は、装填されている電池２９によって供給される電力を、所定の電力に変換してデジタルカメラ１の各部へと供給する。
【００３６】
ここで、以上のように構成されるデジタルカメラ１の機能の一つである補正モードの概要について説明する。上記のように、本実施の形態のデジタルカメラ１は、撮影モードに関する設定として補正モードが選択されている場合に、顔領域の補正処理を含む補正付き本画像処理を行う。
【００３７】
ここで、補正処理は、人物等の被写体の顔を美しく表現するための処理であり、処理内容は特に限定されるものではないが、例としては、肌を滑らかに加工するスムージング処理や、肌を白く加工する美白処理、瞳にキャッチライトを合成するキャッチライト処理、唇の明るさや色を調整して艶感や立体感を発生させる艶処理等が挙げられる。スムージング処理では、例えば、肌の領域からシワやシミの部分を検出して周囲の肌の状態に置き換える補正を行う。美白処理では、例えば、肌の赤み部分を検出して周辺の肌の色と置き換える補正や、肌の白みを増すための補正、あるいは肌を日焼け色に補正する処理を行う。なお、例示した補正処理の他にも、例えば、目の開き具合を調整することによって目を大きく見せるような補正を行うこととしてもよい。これらの補正処理は、例えば、特開２００４−１８０１１４号公報や特開２００４−２２２１１８号公報、特開２００４−３１８２０５号公報等に開示されている公知技術を用いることで実現できる。だたし、これらの文献に開示されている公知技術に限定されるものではなく、顔に対して行う補正処理を適宜選択的に用いることで実現できる。以下、本実施の形態では、３種類の補正処理を組み合わせて行い、例えば第１の補正処理として肌のスムージング処理を行い、第２の補正処理として肌の美白処理を行い、第３の補正処理として唇の艶処理を行う。
【００３８】
ところで、撮影画像に対して上記の各補正処理を施すためには、ある程度の時間を要する。このためユーザは、補正モードを選択して撮影を行った場合、各補正処理を終えるまでの間待機しなければならず、退屈であった。そこで、本実施の形態のデジタルカメラ１は、各補正処理を含む補正付き本画像処理の実行中に、演出用小画像を表示部２３に表示する演出処理を行う。より具体的にはこのとき、ユーザに対して補正付き本画像処理の過程を段階的に提示する演出処理を行う。なお、実際の撮影画像に施す各補正処理の順番は特に限定されるものではないが、補正処理の過程を提示するため、以下では、例えば第１の補正処理を第１段階の補正処理、第２の補正処理を第２段階の補正処理、第３の補正処理を最終段階の補正処理とする。
【００３９】
先ず、生成した撮影画像を縮小して小画像の画像データを生成する。そして、この小画像を処理前小画像として加工し、演出用小画像を複数生成する。例えば、処理前小画像中の顔領域にスムージング処理を施した第１段階処理小画像、第１段階処理小画像中の顔領域に美白処理を施した第２段階処理小画像、第２段階処理小画像中の顔領域に艶処理を施した最終処理小画像の各画像データ（段階処理小画像データ）を生成する。また、これらの各処理小画像や処理前小画像の一部分を切り出した部分画像や、これらの部分画像を所定のサイズに拡大した部分拡大画像、これらの部分拡大画像や各処理小画像、処理前小画像を所定量回転させた回転処理小画像を生成する。そして、必要に応じて各処理小画像や部分画像、回転処理小画像に予め用意される所定のテンプレートを合成し、複数の演出用小画像を得る。ここで、演出用小画像を得るための処理前小画像に対するこれらの画像処理は、撮影画像に対して各補正処理を施す場合のように時間がかからず、短時間で実現できる。また、この他に、予め演出用画像として用いる動画（アニメーション画像）や静止画の背景画像データを用意しておく。
【００４０】
以上のようにして演出用小画像を生成したならば、演出用小画像の演出処理に移る。例えば先ず、各演出用小画像の表示順を設定する。そして、設定した表示順に従い、各演出用小画像を所定の表示時間毎に順次表示部２３に切り換えて表示する処理を行って、スライドショーとして動画表示する。図３および図４は、演出処理の原理を説明する図である。
【００４１】
例えば、図３の例では、撮影画像をもとに、処理前小画像と、処理前小画像の部分拡大画像と、それぞれ所定位置にテンプレートを合成した第１段階処理小画像、第２段階処理小画像および最終処理小画像の部分拡大画像とを生成する。そして、予め用意されたアニメーション画像とともに演出用小画像として用いる。
【００４２】
具体的な演出処理としては先ず、図３（ａ）〜図３（ｃ）に示すように、処理前小画像および処理前小画像の部分拡大画像を順番に表示し、被写体を段階的にズーム表示する。そして、図３（ｃ）に示すように、補正処理の対象である被写体の顔にフォーカスマークＦ１１，Ｆ１２を表示する。次いで、図３（ｄ）に示すように、予め用意されたアニメーション画像を表示する。そして、図３（ｅ）に示すように、第１段階処理小画像の部分拡大画像を表示し、顔に対する第１段階の補正処理イメージを補正処理の過程としてユーザに提示する。図３（ｅ）では、被写体の顔の近傍位置にテンプレートＴ１１，Ｔ１２を合成した第１段階処理小画像の部分拡大画像を示している。このように、処理前画像や各処理小画像にフォーカスマークＦ１１，Ｆ１２（図３（ｃ））やテンプレートＴ１１，Ｔ１２（図３（ｅ））を適宜合成することによって、演出効果を高めることができる。
【００４３】
次いで、図３（ｆ）に示すように、再度アニメーション画像を表示した後、図３（ｇ）に示すように、被写体の顔の近傍にテンプレートＴ１３，Ｔ１４を合成した第２段階処理小画像の部分拡大画像を表示し、顔に対する第２段階の補正処理イメージを補正処理の次の過程としてユーザに提示する。次いで、図３（ｈ）に示すように、再度アニメーション画像を表示する。そして、図３（ｉ）に示すように、被写体の顔の近傍にテンプレートＴ１５，Ｔ１６を合成した最終処理小画像の部分拡大画像を表示し、顔に対する最終段階の補正処理イメージ（撮影画像に対する補正付き本画像処理の仕上がりイメージ）をユーザに提示する。
【００４４】
一方、図４の例では、撮影画像をもとに、処理前小画像と、処理前小画像、第１段階処理小画像、第２段階処理小画像および最終処理小画像の所定範囲を切り出した部分画像やこれらの部分画像を異なるサイズで拡大した部分拡大画像と、第２段階処理小画像の部分拡大画像を異なる回転量で回転させた回転処理小画像とを生成し、演出用小画像として用いる。
【００４５】
具体的な演出処理としては先ず、図４（ａ）〜図４（ｃ）に示すように、処理前小画像の部分画像やこの部分画像を異なるサイズで拡大した部分拡大画像が段階的に大きくなるように順番に表示し、被写体を拡大表示する。次いで、図４（ｄ）〜図４（ｉ）に示すように、第１段階処理小画像の部分画像やこの部分画像を異なるサイズで拡大した部分画像が段階的に小さくなったり大きくなったりするように順番に表示することによって被写体を拡縮表示させながら、顔に対する第１段階の補正処理イメージを補正処理の過程としてユーザに提示する。
【００４６】
次いで、図４（ｊ）〜図４（ｌ）に示すように、第２段階処理小画像の部分拡大画像を異なる回転量で回転させた回転処理小画像を順番に表示してモーション表示させながら、顔に対する第２段階の補正処理イメージを補正処理の過程としてユーザに提示する。そして、図４（ｍ）に示すように、最終処理小画像の部分拡大画像を表示し、顔に対する最終段階の補正処理イメージ（仕上がりイメージ）をユーザに提示する。
【００４７】
このように、本実施の形態では、補正付き本画像処理が終了するまでの間、すなわち、３種類の各補正処理を施して撮影画像に対する画像処理が完了するまでの間、演出用小画像を用いた演出処理を行うことができる。したがって、ユーザは、補正処理の段階的な過程を確認しながら待機でき、退屈しない。
【００４８】
なお、図３（ａ）〜（ｃ），（ｅ），（ｇ），（ｉ）や図４（ａ）〜（ｍ）では、それぞれ補正処理を反映させた状態の画像を示していないが、実際には、第１段階の補正処理後の状態や第２段階の補正処理後の状態、最終段階の補正処理後の状態の画像が表示部２３に表示される。
【００４９】
次に、デジタルカメラ１の動作について説明する。図５は、デジタルカメラ１の基本動作を示すフローチャートである。図５に示すように、デジタルカメラ１は、パワースイッチ４がスライドされて電源投入（パワースイッチＯＮ）が指示されるまで待機状態となり、パワースイッチがＯＦＦの間は（ステップａ１：Ｎｏ）、スリープ状態を継続して（ステップａ３）、ステップａ１に戻る。
【００５０】
そして、パワースイッチがＯＮされた場合には（ステップａ１：Ｙｅｓ）、電源回路２８による各部への電源供給が開始され（ステップａ５）、先ず、撮影モード設定を行う（ステップａ７）。例えば、測光や露出演算に関する設定、ＡＥ／ＡＦ動作に関する設定等、撮影モードに関する各種設定を行う。本実施の形態では、このとき、撮影画像中で顔が検出された場合に顔領域を補正処理する補正モードの設定を行う。その後、測光・演算処理を行う（ステップａ９）。
【００５１】
続いて、ライブビュー画像を取り込んで表示部２３に表示する（ステップａ１１）。ここでの処理によって、撮像素子１１に結像されている被写体像の画像データがＳＤＲＡＭ１８に一時的に記録され、ライブビュー画像として表示部２３に表示される。このライブビュー画像は、所定のフレームレートで更新表示され、動画的に連続表示されるようになっている。
【００５２】
その後は、操作入力に応じて処理を分岐する。すなわち、レリーズスイッチ３が一段階押下され、ファーストレリーズスイッチがＯＮされた場合には（ステップａ１３：Ｙｅｓ）、撮影処理を行う（ステップａ１５）。ファーストレリーズスイッチがＯＮされなければ（ステップａ１３：Ｎｏ）、ステップａ１７に移行する。そして、再生スイッチ８がＯＮされた場合には（ステップａ１７：Ｙｅｓ）、再生モードとなって再生処理を行う（ステップａ１９）。再生スイッチ８がＯＮされなければ（ステップａ１７：Ｎｏ）、ステップａ２１に移行する。そして、メニュースイッチ５がＯＮされた場合には（ステップａ２１：Ｙｅｓ）、設定変更処理を行う（ステップａ２３）。例えば、ＣＰＵ２１が設定変更処理を開始し、設定変更画面を表示部２３に表示させて各種設定メニューを提示する。そして、ＣＰＵ２１は、ユーザ操作によって選択された設定項目に応じた処理を行い、操作部２６からの操作信号に従って各種モードの設定変更等を行うための処理を実行する。ここでの設定変更処理によって、撮影モードや再生モードに関する各種設定を変更することができ、例えば撮影モードとして、補正モードを選択するか否かの設定を変更する（切り換える）ことができる。メニュースイッチ５がＯＮされなければ（ステップａ２１：Ｎｏ）、ステップａ２５に移行する。
【００５３】
そして、パワースイッチ４がスライドされて電源遮断（パワースイッチＯＦＦ）が指示されるまでの間（ステップａ２５：Ｎｏ）、ステップａ９に戻って上記した処理を行う。そして、パワースイッチ４がＯＦＦされた場合には（ステップａ２５：Ｙｅｓ）、電源回路２８による各部の電源供給が停止され（ステップａ２７）、基本動作を終える。
【００５４】
次に、図５に示した基本動作においてファーストレリーズスイッチがＯＮされた場合に行う撮影処理（ステップａ１５）について説明する。図６は、撮影処理の詳細な処理手順を示すフローチャートである。図６に示すように、撮影処理では、先ず撮影準備動作として、ＡＦ部１７がＡＦ（自動焦点）動作を行い（ステップｂ１）、ＡＥ部１６がＡＥ（自動露出）動作を行う（ステップｂ３）。
【００５５】
その後、セカンドレリーズスイッチがＯＮされず（ステップｂ５：Ｎｏ）、ファーストレリーズスイッチがＯＮされたままの間は（ステップｂ７：Ｙｅｓ）、待機状態となる。ファーストレリーズスイッチがＯＦＦされた場合には（ステップｂ７：Ｎｏ）、図５のステップａ１５にリターンし、その後ステップａ１７に移行する。
【００５６】
そして、レリーズスイッチ３が二段階押下され、セカンドレリーズスイッチがＯＮされた場合には（ステップｂ５：Ｙｅｓ）、ＣＰＵ２１が、撮像部１０を駆動して撮影時の露出を制御し（ステップｂ９）、画像データの読み出し処理を行う（ステップｂ１１）。ここでの処理によって、セカンドレリーズスイッチがＯＮされたタイミングの撮影範囲の画像が撮影画像として生成され、その画像データがＳＤＲＡＭ１５に一時的に記録される。
【００５７】
続いて、画像処理部１８が、撮影画像の画像データを縮小処理して小画像の画像データを生成する（ステップｂ１２）。そして、ＣＰＵ２１が、補正モードを選択した撮影モードが設定されているか否かを判定する。補正モードが選択されていなければ（ステップｂ１３：Ｎｏ）、ステップｂ２１に移り、画像処理部１８が、撮影画像に対して顔を補正しない通常の画像処理を施す。そしてその後、ステップｂ２３に移行する。一方、補正モードが選択されている場合には（ステップｂ１３：Ｙｅｓ）、器官検出部２０が顔検出を実行する（ステップｂ１５）。器官検出部２０は、小画像から顔領域を検出し、この顔領域の検出結果をもとに、顔領域中の各顔パーツを検出する。
【００５８】
その後、ＣＰＵ２１が、ステップｂ１５の顔検出で顔を検出したか否かを判定し、検出しなかった場合には（ステップｂ１７：Ｎｏ）、ステップｂ２１に移行する。すなわち、上記したように、画像処理部１８が、撮影画像に対して顔を補正しない通常の画像処理を施す。そしてその後、ステップｂ２３に移行する。一方、顔を検出したならば（ステップｂ１７：Ｙｅｓ）、補正付き画像補正処理に移り（ステップｂ１９）、撮影画像に対して顔を補正する画像処理を施す。図７は、補正付き画像処理の詳細な処理手順を示すフローチャートである。
【００５９】
図７に示すように、補正付き画像処理では、先ず、画像処理部１８の演出用画像処理部１８３が、演出用小画像を生成する（ステップｃ１）。例えば、演出用画像処理部１８３は、図６のステップｂ１２で生成した小画像を処理前小画像とし、第１段階処理小画像、第２段階処理小画像、最終処理小画像、部分画像、部分拡大画像、回転処理小画像等を生成し、必要に応じて各画像に所定のテンプレート（図３のフォーカスマークＦ１１，Ｆ１２やテンプレートＴ１１〜Ｔ１６）を合成し、演出用小画像とする。
【００６０】
続いて、画像処理部１８の補正付き本画像処理部１８１が、補正付き本画像処理を開始する（ステップｃ３）。図８は、ここで開始される補正付き本画像処理の詳細な処理手順を示すフローチャートである。図８に示すように、本実施の形態の補正付き本画像処理では、補正付き本画像処理部１８１は、先ず、図６のステップｂ１５で小画像に対して行った顔検出結果をもとに、小画像中のこれらの検出位置に対応する撮影画像中の位置を、撮影画像中での顔領域や各顔パーツの領域として特定する（ステップｄ１）。そして、補正付き本画像処理部１８１は、撮影画像に対し、第１の補正処理として例えば肌のスムージング処理を行い（ステップｄ２）、第２の補正処理として肌の美白処理を行い（ステップｄ３）、第３の補正処理として唇の艶処理を行う（ステップｄ４）とともに、その他の必要な画像処理を施して補正付き撮影画像を生成する。
【００６１】
そして、補正付き本画像処理部１８１がこの補正付き本画像処理を開始したならば、ＣＰＵ２１が、この補正付き本画像処理を終了するまでの間、この補正付き本画像処理と並行して、演出用画像処理部１８３が生成した演出用小画像や予めテンプレートとして用意される演出用画像（図３のアニメーション画像等）を用いた演出処理を行う。
【００６２】
すなわち、ＣＰＵ２１は、演出処理に用いる各演出用小画像の表示順を設定し、図７に示すように、表示順に従って演出用小画像を順次選出する（ステップｃ４）。続いて、ＣＰＵ２１は、タイマーを起動して所定時間（表示時間）の計時を開始した後（ステップｃ５）、ステップｃ４で選出した演出用小画像を選出して表示部２３に表示する演出処理を行う（ステップｃ７）。
【００６３】
そして、ＣＰＵ２１は、タイマーの計時を監視し、所定時間を超過するまで待機状態となる。タイマーの計時が所定時間を超過した場合には（ステップｃ９：Ｙｅｓ）、ＣＰＵ２１は、補正付き本画像処理が終了したか否かを判定し、終了するまでの間（ステップｃ１１：Ｎｏ）、ステップｃ４に戻って上記した処理を繰り返す。すなわち、次順の演出用小画像を選出するとともにタイマーをリセットして再度所定時間の計時を開始し、選出した演出用小画像を表示時間の間表示部２３に表示する演出処理を行う。一方、補正付き本画像処理が終了した場合には（ステップｃ１１：Ｙｅｓ）、図６のステップｂ１９にリターンし、その後ステップｂ２３に移行する。
【００６４】
そして、ステップｂ２３では、ＣＰＵ２１は、確認画像を表示部２３に表示する処理（レックビュー）を行う。補正モードが選択されていない場合や、補正モードが選択されているものの撮影画像中で顔が検出されない場合には、通常の画像処理後の撮影画像が確認画像として表示部２３に表示される。一方、補正モードが選択されており、撮影画像中で顔が検出された場合には、補正付き画像処理後の顔が補正された撮影画像が確認画像として表示部２３に表示される。
【００６５】
そして、ＣＰＵ２１は、ステップｂ２１の通常の画像処理後の撮影画像またはステップｂ１９の補正付き本画像処理後の撮影画像（補正付き撮影画像）の画像データ（補正付き画像データ）を着脱メモリ２７に記録する（ステップｂ２５）。そして、図５のステップａ１５にリターンし、その後ステップａ１７に移行する。
【００６６】
ここで、撮影画像の画像データは、その小画像の画像データであるサムネイルデータと対応付けられて着脱メモリ２７に記録される。また、補正付き撮影画像については、さらに、図７のステップｃ４〜ステップｃ９を繰り返すことで行った演出処理を再生するためのスライドデータを対応付けた補正付き画像ファイルとして記録される。図９は、補正付き画像ファイルのデータ構成例を示す図である。図９に示すように、補正付き画像ファイルは、ヘッダー４１と、本画像データ４２と、サムネイルデータ４３と、スライドデータ４４とを含む。本画像データ４２は、補正付き撮影画像の画像データである。また、スライドデータ４４は、例えば、演出処理で用いた演出用小画像をスライドショー表示するためのものであり、各演出用小画像を表示順に繋ぎあわせ、各演出用画像の表示時間を設定したスライドショーデータとして生成される。
【００６７】
なお、補正付き撮影画像と対応付けて演出用画像（スライドデータ）を記録しておかない構成としてもよい。また、補正付き撮影画像と対応付けて、補正処理を施す前の元の撮影画像（原画像）の画像データを記録しておく構成としてもよい。
【００６８】
次に、図５に示した基本動作において再生スイッチ８がＯＮされた場合に行う再生処理（ステップａ１９）について説明する。図１０は、再生処理の詳細な処理手順を示すフローチャートである。図１０に示すように、再生処理では先ず、ＣＰＵ２１が、着脱メモリ２７から撮影画像を読み込む処理を行い（ステップｅ１）、読み込んだ撮影画像を表示部２３に表示する処理を行って再生する（ステップｅ３）。例えば、過去に撮影されて着脱メモリ２７に記録されている撮影画像の画像データ（本画像データ）を撮影順に１枚ずつ順番に読み込んで表示する構成としてもよいし、複数の撮影画像のサムネイルデータを読み出して一覧表示する処理を行い、ユーザ操作に従って一覧の中から選択した撮影画像の画像データ（本画像データ）を表示する構成としてもよい。
【００６９】
続いて、例えば十字キー６がＯＮされ、再生中の撮影画像の切り換え操作（再生切換操作）が入力された場合には（ステップｅ５：Ｙｅｓ）、ＣＰＵ２１は、指定された撮影画像を着脱メモリ２７から読み込む処理を行い（ステップｅ７）、ステップｅ３に戻って読み込んだ撮影画像を表示部２３に表示する処理（再生）を行う。
【００７０】
また、再生中の撮影画像が顔を補正した補正付き撮影画像の場合には、例えばスライドショーの再生メニューが提示されるようになっており、例えばメニュースイッチ５や十字キー６等がＯＮされてこのスライドショーの再生メニューが選択され、スライド再生操作が入力された場合には（ステップｅ９：Ｙｅｓ）、ＣＰＵ２１は、再生中の補正付き撮影画像に対応付けられたスライドデータを着脱メモリ２７から読み込んで各演出用小画像を順次表示部２３に表示する処理を行う（ステップｅ１１）。これによれば、再生中の補正付き撮影画像を生成した時に行われた演出処理を再生することができるので、ユーザは、補正処理を施す前の元の撮影画像（原画像）をスライドショーによって確認することができる。
【００７１】
そして、再生スイッチ８が再びＯＮされるまでの間（ステップｅ１３：Ｎｏ）、ステップｅ５に戻って再生切換操作やスライド再生操作を受け付ける。再生スイッチ８がＯＮされれば（ステップｅ１３：Ｙｅｓ）、再生処理を終了し、図５のステップａ１９にリターンし、その後ステップａ２１に移る。これによって、デジタルカメラ１は、再生モードから撮影モードとなる。
【００７２】
以上説明したように、本実施の形態によれば、撮影モードに関する設定として撮影画像中の顔を補正する補正モードが選択されている場合であって、器官検出部２０によって撮影画像中の顔が検出された場合に、撮影画像に対して補正付き本画像処理を行うが、この補正付き本画像処理を終了するまでの間、この補正付き本画像処理と並行して演出処理を行うことができる。具体的には、撮影画像を縮小して処理前小画像を生成し、処理前小画像にスムージング処理を施した第１段階処理小画像や第１段階処理小画像に美白処理を施した第２段階処理小画像、第２段階処理小画像に艶処理を施した最終処理小画像を生成し、これらの処理小画像や処理前小画像を用いて演出用小画像を生成することができる。そして、各演出用画像を順次表示部２３に表示する演出処理を行うことができる。したがって、撮影画像中の顔に対する各補正処理を含む補正付き本画像処理を終えるまでの間、補正処理の過程を段階的に提示しながら演出表示を行うことができ、ユーザを退屈させることなく補正処理後のイメージを提示することができる。
【００７３】
なお、上記した実施の形態では、第１の補正処理を肌のスムージング処理とし、第２の補正処理を肌の美白処理とし、第３の補正処理を唇の艶処理として、撮影画像を縮小処理した処理前小画像に対してこれらの補正処理を施すことによって、補正処理の処理過程を段階的にユーザに提示する演出表示を行うこととした。これに対し、適用する補正処理の組み合わせや数は適宜設定できる。そして、適用する補正処理の組み合わせや数に応じて処理前小画像に補正処理を施し、処理過程を段階的にユーザに提示する演出表示を行うことができる。
【００７４】
また、上記した実施の形態では、３種類の補正処理を組み合わせて行うこととし、処理前小画像に対してこれらの補正処理を順番に施した第１段階処理小画像、第２段階処理小画像および最終段階処理小画像を用い、補正処理の処理過程を段階的にユーザに提示する演出表示を行うこととした。これに対し、１つの補正処理を段階的に施すことによって、複数の段階処理小画像を生成することとしてもよい。例えば、美白処理を行う場合であれば、肌の色を段階的に白くして複数の段階処理小画像を生成することとしてもよい。そして、これらを順番に表示部２３に表示する処理を行い、補正処理の処理過程を段階的にユーザに提示する演出表示を行うこととしてもよい。
【００７５】
また、図３や図４に例示した演出処理は一例であって、演出処理に用いる演出用小画像の種類や組み合わせ、表示順は適宜設定することができる。また、上記した実施の形態では、各演出用小画像の表示時間を全て同じとして説明したが、例えば演出用小画像の種類等に応じて個別に設定することとしてもよい。あるいは、補正付き本画像処理で行う補正処理の種類に応じて予め補正付き本画像処理に要する処理時間を推定し、推定した処理時間に応じて各演出用小画像に表示時間を割り当てる構成としてもよい。決められた補正処理を行う場合であれば、予め推定時間を設定しておけばよい。ユーザ操作に従って補正処理を選択可能に構成する場合であれば、予め補正処理毎に推定時間を設定しておき、実際に行う補正処理に応じて処理時間を推定すればよい。
【００７６】
また、上記した実施の形態では、モーション表示の一例として、第２段階処理小画像の部分拡大画像を異なる回転量で回転させた回転処理小画像を順番に表示する例を示した（図４（ｊ）〜図４（ｌ））が、モーション表示はこれに限定されるものではない。例えば、各演出用画像を、所定の経路に沿って画面内で移動させてモーション表示する構成としてもよい。
【００７７】
また、上記した実施の形態では、処理前小画像に対して段階的に補正処理を施した第１段階処理小画像、第２段階処理小画像および最終段階処理小画像を生成し、これらの各処理小画像を用いて演出処理を行うこととしたが、これらのいずれか１つを用いて演出処理を行うこととしてもよい。
【００７８】
また、上記した実施の形態では、器官検出部２０が小画像の画像データに対して顔検出を行い、顔領域を検出して各顔パーツを検出することとした。そして、この顔検出結果をもとに、小画像中のこれらの検出位置に対応する撮影画像中の位置を、撮影画像中での顔領域や各顔パーツの領域として特定することとした。これによれば、サイズの小さい小画像に対して顔検出を行うので、撮影画像に対して顔検出を行う場合と比較して処理負荷を低減できる。ただし、撮影画像の画像データに対しても顔検出を行い、撮影画像中の顔領域や各顔パーツの領域を検出することとしてもよい。あるいは、撮影画像の画像データに対して行った顔検出結果をもとに、撮影画像中のこれらの検出位置に対応する小画像中の位置を、小画像中での顔領域や顔パーツの領域として特定することとしてもよい。そして、特定した顔領域や顔パーツの領域をもとに演出用小画像を生成することとしてもよい。
【００７９】
また、上記した実施の形態では、撮影画像を縮小処理したサムネイルを小画像として用いることとしたが、小画像は、サムネイルに限定されるものではない。例えば、撮影画像をＶＧＡサイズ（６４０×４８０画素）に縮小処理して小画像を生成することとしてもよい。また、この他、小画像のサイズは適宜設定可能であり、撮影画像よりも小さい所定のサイズに縮小処理して小画像を生成することとしてよい。
【００８０】
また、上記した実施の形態でＣＰＵ２１が行うこととして説明した処理の一部または全部を、ハードウェアで実現することもできる。一方、画像処理部１８や器官検出部２０等をハードウェアで実現する構成について説明したが、所定のプログラムを実行することによってソフトウェアとして実現することとしてもよい。
【００８１】
また、上記実施の形態では、撮像装置の具体例としてデジタルカメラを例にとって説明したが、これに限定されるものではなく、携帯電話のカメラ部やＰＣ付属のカメラ部に適用してもよい。そして、静止画像データを加工して補正処理する場合について説明したが、補正処理の対象は静止画像データに限定されるものではなく、動画像データに対しても同様に適用できる。
【図面の簡単な説明】
【００８２】
【図１】デジタルカメラの背面図である。
【図２】デジタルカメラのシステム構成を示すブロック図である。
【図３】演出処理の原理を説明する図である。
【図４】演出処理の原理を説明する他の図である。
【図５】デジタルカメラの基本動作を示すフローチャートである。
【図６】撮影処理の詳細な処理手順を示すフローチャートである。
【図７】補正付き画像処理の詳細な処理手順を示すフローチャートである。
【図８】補正付き本画像処理の詳細な処理手順を示すフローチャートである。
【図９】補正付き画像ファイルのデータ構成例を示す図である。
【図１０】再生処理の詳細な処理手順を示すフローチャートである。
【符号の説明】
【００８３】
１      デジタルカメラ
３      レリーズスイッチ
４      パワースイッチ
５      メニュースイッチ
６      十字キー
７      ＯＫスイッチ
８      再生スイッチ
１０      撮像部
１１      撮像素子
１２      レンズ系ユニット
１３      レンズ駆動回路
１４      撮像回路
１５      ＳＤＲＡＭ
１６      ＡＥ部
１７      ＡＦ部
１８      画像処理部
１８１      補正付き本画像処理部
１８３      演出用画像処理部
２０      器官検出部
２１      ＣＰＵ
２１１      演出処理部
２２      内蔵メモリ
２３      表示部
２４      表示駆動回路
２５      通信Ｉ／Ｆ
２６      操作部
２７      着脱メモリ
２８      電源回路
２９      電池
３０      バス
【図１】
2010141399.tif 000003
【図２】
2010141399.tif 000004
【図３】
2010141399.tif 000005
【図４】
2010141399.tif 000006
【図５】
2010141399.tif 000007
【図６】
2010141399.tif 000008
【図７】
2010141399.tif 000009
【図８】
2010141399.tif 000010
【図９】
2010141399.tif 000011
【図１０】
2010141399.tif 000012